(57)【要約】【課題】  消費電力を抑えつつＡ／Ｄコンバータにおけるサンプリングの効率を向上させる。【解決手段】  携帯電話機１Ａのパケット受信部１０Ａは、基地局から送信された１フレームに含まれる６つのパケットを受信し、サンプルタイミング制御部２０Ａは、１フレームに含まれる６つのパケットのうち、前半の３パケットと後半の３パケットとで、Ａ／Ｄコンバータにおけるサンプルタイミングを半クロックずらす。【選択図】  図１
2006254338.tif 000002
【特許請求の範囲】
【請求項１】
パケットを受信する受信手段と、
アナログ信号をデジタル信号に変換するためのＡ／Ｄコンバータのサンプルタイミングを制御するサンプルタイミング制御手段と、を備え、
前記サンプルタイミング制御手段は、伝送制御時の通信単位である一のフレームに含まれる複数のパケットのうちの半数のパケットに対する前記Ａ／Ｄコンバータのサンプルタイミングと、残りの半数のパケットに対する前記Ａ／Ｄコンバータのサンプルタイミングとを半クロックずらすことを特徴とする移動通信端末。
【請求項２】
前記サンプルタイミング制御手段は、前記フレームに含まれる複数のパケットのうちの前半のパケットに対する前記Ａ／Ｄコンバータのサンプルタイミングと、後半のパケットに対する前記Ａ／Ｄコンバータのサンプルタイミングとを半クロックずらすことを特徴とする請求項１記載の移動通信端末。
【請求項３】
前記サンプルタイミング制御手段は、前記フレームに含まれる複数のパケットに対する前記Ａ／Ｄコンバータのサンプルタイミングを、一の前記パケットおきに半クロックずらすことを特徴とする請求項１記載の移動通信端末。
【請求項４】
パケットを受信する受信手段と、
前記受信手段により受信されたパケットの伝送誤りを検出する伝送誤り検出手段と、
アナログ信号をデジタル信号に変換するためのＡ／Ｄコンバータのサンプルタイミングを制御するサンプルタイミング制御手段と、を備え、
前記サンプルタイミング制御手段は、前記伝送誤り検出手段によって、伝送制御時の通信単位である一のフレームに含まれる複数のパケットのうち、半数以上のパケットにおいて伝送誤りが検出された場合に、当該一のフレームに含まれる複数のパケットに対する前記Ａ／Ｄコンバータのサンプルタイミングを半クロックずらすことを特徴とする移動通信端末。
【請求項５】
パケットを受信する受信手段と、
前記受信手段により受信されたパケットの伝送誤りを検出する伝送誤り検出手段と、
前記伝送誤り検出手段により前記伝送誤りが検出された場合に、当該伝送誤りが検出されたパケットを再送するように要求するための再送要求を送信する再送要求送信手段と、
アナログ信号をデジタル信号に変換するためのＡ／Ｄコンバータのサンプルタイミングを制御するサンプルタイミング制御手段と、を備え、
前記再送要求送信手段は、前記再送要求が送信された回数をパケットごとにカウントし、
前記サンプルタイミング制御手段は、伝送制御時の通信単位である一のフレームに含まれる複数のパケットの中に、前記再送要求の送信回数が３回以上カウントされたパケットが存在する場合に、当該一のフレームに含まれる複数のパケットに対する前記Ａ／Ｄコンバータのサンプルタイミングを半クロックずらすことを特徴とする移動通信端末。
【発明の詳細な説明】
【技術分野】
【０００１】
本発明は、Ａ／Ｄコンバータを有する移動通信端末に関する。
【背景技術】
【０００２】
携帯電話機等の移動通信端末では、一般に、基地局から受信したパケット（アナログ信号）をＡ／Ｄコンバータでサンプリングしてデジタル信号に変換している。このような移動通信端末では、受信したアナログ信号の最大振幅位置でサンプリングした場合に最良の受信特性を得ることができる。
【０００３】
Ａ／Ｄコンバータでのサンプリングに関する技術については、例えば、下記特許文献１等に開示されている。
【特許文献１】特開２００４−１６５９２９号公報
【発明の開示】
【発明が解決しようとする課題】
【０００４】
ところで、移動通信端末のＡ／Ｄコンバータにおけるサンプリンルタイミングは、受信環境の変化等の影響によって誤差が生じ得る。そして、サンプルタイミングに生ずる誤差が大きくなるほど受信特性が劣化してしまう。
【０００５】
ここで、サンプルタイミングに誤差が生じた場合であっても、サンプルタイミングを増やす（サンプリングの動作速度を上げる）ことでアナログ信号の最大振幅位置付近でのサンプリングの可能性を高めることができる。すなわち、サンプルタイミングを増やすことによって、良好な受信特性を維持させることが可能となる。しかしながら、サンプルタイミングを増やせば増やすほど、消費電力が増大してしまう。
【０００６】
そこで、本発明は、上述した課題を解決するために、消費電力を抑えつつＡ／Ｄコンバータにおけるサンプリングの効率を向上させることができる移動通信端末を提供することを目的とする。
【課題を解決するための手段】
【０００７】
本発明の移動通信端末は、パケットを受信する受信手段と、アナログ信号をデジタル信号に変換するためのＡ／Ｄコンバータのサンプルタイミングを制御するサンプルタイミング制御手段と、を備え、サンプルタイミング制御手段は、伝送制御時の通信単位である一のフレームに含まれる複数のパケットのうちの半数のパケットに対するＡ／Ｄコンバータのサンプルタイミングと、残りの半数のパケットに対するＡ／Ｄコンバータのサンプルタイミングとを半クロックずらすことを特徴とする。
【０００８】
この発明によれば、一のフレームに含まれる複数のパケットのうちの半数のパケットと、残りの半数のパケットとで、Ａ／Ｄコンバータのサンプルタイミングを半クロックずらすことが可能となる。これにより、サンプルタイミングに誤差が生じている場合には、通常のサンプルタイミングから半クロックずらしたサンプルタイミングによってサンプリングされる半数のパケットについては伝送誤りを抑えることができ、サンプルタイミングに誤差が生じていない場合には、通常のサンプルタイミングによってサンプリングされる半数のパケットについては伝送誤りを抑えることができる。すなわち、サンプルタイミングの誤差を平均化することができる。このようにサンプルタイミングの誤差を平均化することによって、消費電力を抑えつつＡ／Ｄコンバータにおけるサンプリングの効率を向上させることができる。
【０００９】
本発明の移動通信端末において、上記サンプルタイミング制御手段は、フレームに含まれる複数のパケットのうちの前半のパケットに対するＡ／Ｄコンバータのサンプルタイミングと、後半のパケットに対するＡ／Ｄコンバータのサンプルタイミングとを半クロックずらすことが好ましい。
【００１０】
また、本発明の移動通信端末において、上記サンプルタイミング制御手段は、フレームに含まれる複数のパケットに対するＡ／Ｄコンバータのサンプルタイミングを、一のパケットおきに半クロックずらすことが好ましい。
【００１１】
本発明の移動通信端末は、パケットを受信する受信手段と、受信手段により受信されたパケットの伝送誤りを検出する伝送誤り検出手段と、アナログ信号をデジタル信号に変換するためのＡ／Ｄコンバータのサンプルタイミングを制御するサンプルタイミング制御手段と、を備え、サンプルタイミング制御手段は、伝送誤り検出手段によって、伝送制御時の通信単位である一のフレームに含まれる複数のパケットのうち、半数以上のパケットにおいて伝送誤りが検出された場合に、当該一のフレームに含まれる複数のパケットに対する前記Ａ／Ｄコンバータのサンプルタイミングを半クロックずらすことを特徴とする。
【００１２】
この発明によれば、一のフレームに含まれる複数のパケットのうち、半数以上のパケットにおいて伝送誤りが検出された場合に、当該一のフレームに含まれる複数のパケットに対するＡ／Ｄコンバータのサンプルタイミングを半クロックずらすことが可能となる。したがって、半数以上のパケットで伝送誤りが検出されたときにサンプルタイミングに誤差が生じていれば、一のフレームに含まれる全てのパケットの伝送誤りを抑えることが可能になり、受信特性を格別に向上させることができる。これにより、サンプルタイミングを増やすことなく、伝送誤りを低減させることができるため、消費電力を抑えつつＡ／Ｄコンバータにおけるサンプリングの効率を向上させることが可能となる。
【００１３】
本発明の移動通信端末は、パケットを受信する受信手段と、受信手段により受信されたパケットの伝送誤りを検出する伝送誤り検出手段と、伝送誤り検出手段により伝送誤りが検出された場合に、当該伝送誤りが検出されたパケットを再送するように要求するための再送要求を送信する再送要求送信手段と、アナログ信号をデジタル信号に変換するためのＡ／Ｄコンバータのサンプルタイミングを制御するサンプルタイミング制御手段と、を備え、再送要求送信手段は、再送要求が送信された回数をパケットごとにカウントし、サンプルタイミング制御手段は、伝送制御時の通信単位である一のフレームに含まれる複数のパケットの中に、再送要求の送信回数が３回以上カウントされたパケットが存在する場合に、当該一のフレームに含まれる複数のパケットに対するＡ／Ｄコンバータのサンプルタイミングを半クロックずらすことを特徴とする。
【００１４】
この発明によれば、再送要求の送信回数が３回以上であるパケットが存在する場合に、一のフレームに含まれる複数のパケットに対するサンプルタイミングを半クロックずらすことができる。したがって、再送要求の送信回数が３回以上であるパケットが存在するときにサンプルタイミングに誤差が生じていれば、一のフレームに含まれる全パケットの伝送誤りを抑えることが可能となり、受信特性を格別に向上させることができる。これにより、サンプルタイミングを増やすことなく、伝送誤りを低減させることができるため、消費電力を抑えつつＡ／Ｄコンバータにおけるサンプリングの効率を向上させることが可能となる。
【発明の効果】
【００１５】
本発明に係る移動通信端末によれば、消費電力を抑えつつＡ／Ｄコンバータにおけるサンプリングの効率を向上させることができる。
【発明を実施するための最良の形態】
【００１６】
以下、本発明に係る移動通信端末の実施形態を図面に基づき説明する。
【００１７】
[第１実施形態]
まず、本発明の第１実施形態について説明する。本実施形態における携帯電話機は、例えば、ＨＳＤＰＡ(high speed downlink packet access)による高速無線通信機能を搭載しており、ハイレートな誤り訂正符号や、１６ＱＡＭ（QuadratureAmplitude Modulation；直行振幅変調）、６４ＱＡＭ等の多値変調を用いることによって、周波数利用効率を高めて高速無線通信を実現している。
【００１８】
図１は、第１実施形態における携帯電話機１Ａの機能構成を例示する図である。図１に示すように、携帯電話機１Ａは、パケット受信部１０Ａと、サンプルタイミング制御部２０Ａとを有する。
【００１９】
パケット受信部１０Ａは、基地局から送信されるパケット（アナログ信号）を受信する。
【００２０】
サンプルタイミング制御部４０Ａは、１フレームに含まれる複数のパケットのうちの前半のパケットに対するＡ／Ｄコンバータのサンプルタイミングと、後半のパケットに対するＡ／Ｄコンバータのサンプルタイミングとを半クロックずらす制御を行う。なお、Ａ／Ｄコンバータは、アナログ信号をデジタル信号に変換する周知のＡＤ変換器である。
【００２１】
ここで、図２を参照して、本実施形態における通信単位について説明する。図２に示すように、本実施形態では、最小の通信単位を１スロットＳとし、３スロットＳを１パケットＰとし、６パケットＰを１フレームＦとする。また、伝送誤りは１パケット単位に検出することとし、伝送制御を１フレーム単位で行うこととする。
【００２２】
図３を参照して、本実施形態における伝送誤り検出と伝送制御について説明する。図３に示すように、基地局から携帯電話機１Ａに送信されるデータは、フレームＦ１，Ｆ２単位にグループ化されている。まず、携帯電話機１Ａは、基地局から第１のフレームＦ１に含まれる６つのパケットＰ１〜Ｐ６を受信する。この６つのパケットＰ１〜Ｐ６には、それぞれデータＤ１〜Ｄ６が格納されている。次に、携帯電話機１Ａは、第１のフレームＦ１における伝送誤りの検出をパケットＰ１〜Ｐ６単位に行う。次に、携帯電話機１Ａは、伝送誤りが検出されたパケットを再送するように要求する再送要求を基地局に送信する。図３に示す例では、第１のフレームＦ１の３つのパケットＰ１，Ｐ５，Ｐ６において伝送誤りが検出されている（図３に示す×印）ため、これら３つのパケットの再送要求が基地局に送信される。次に、携帯電話機１Ａは、基地局から第２のフレームＦ２に含まれる６つのパケットＰ１〜Ｐ６を受信する。この６つのパケットＰ１〜Ｐ６には、それぞれデータＤ１，Ｄ７〜Ｄ９，Ｄ５，Ｄ６が格納されている。具体的に説明すると、第２のフレームＦ２に含まれる６つのパケットＰ１〜Ｐ６のうち、３つのパケットＰ１，Ｐ５，Ｐ６には、第１のフレームＦ１のパケットＰ１，Ｐ５，Ｐ６に格納されていたデータＤ１，Ｄ５，Ｄ６がそのまま格納され、その他の３つのパケットＰ２〜Ｐ４には、新たなデータＤ７〜Ｄ９が格納されている。すなわち、伝送誤りが検出されたパケットには、直前のフレームに含まれる対応するパケットに格納されたデータがそのまま継続して格納され、伝送誤りが検出されなかったパケットには、新たなデータが格納される。このようにして、１パケット単位に伝送誤りが検出され、１フレーム単位に伝送制御が行われる。
【００２３】
次に、図４を参照して、本実施形態のＡ／Ｄコンバータにおけるサンプルタイミングについて説明する。図４に示す横軸は時間[ｔ]を示し、縦軸はアナログ信号の振幅を示す。通常のサンプルタイミングはａ１〜ａ４の４点であり、クロックＣＬＫの立ち上がり時にサンプリングされる。一方、サンプルタイミングａ１〜ａ４を半クロックずらしたサンプルタイミングがｂ１〜ｂ４の４点であり、クロックＣＬＫの立ち下がり時にサンプリングされる。これらのサンプルタイミングａ１〜ａ４およびサンプルタイミングｂ１〜ｂ４を合わせると全部で８点のサンプルタイミングとなる。また、サンプルタイミングａ１とサンプルタイミングａ２との間隔Ｃ１が、サンプリング周期すなわち１クロックであり、サンプルタイミングａ１とサンプルタイミングｂ１との間隔Ｃ２が、サンプリング周期の半分すなわち半クロックである。
【００２４】
図４に示す例では、通常のサンプルタイミングａ１〜ａ４でサンプリングしたときには、サンプルタイミングに誤差が生じ、最大振幅位置付近のサンプル点が取りこぼされている。したがって、この場合には、受信特性が劣化してしまう。これに対して、サンプルタイミングａ１〜ａ４を半クロックずらしたサンプルタイミングｂ１〜ｂ４でサンプリングしたときには、サンプルタイミングの誤差が解消し、サンプルタイミングｂ２がほぼ最大振幅位置を捉えている。したがって、この場合には、最良の受信特性を得ることができる。このように、サンプルタイミングに誤差が生じている場合に、サンプルタイミングを半クロックずらすことによって、受信特性を向上させることができる。
【００２５】
ここで、サンプルタイミングを半クロックずらすこととしているのは、ずらす前のサンプルタイミングを、ずらした後のサンプルタイミングから最も離れたタイミングにすることができるためである。すなわち、ずらしの前後で相関関係が最小となるサンプルタイミングを設定することによって、ずらす前の受信特性が劣悪な場合であっても、ずらした後の受信特性を良好にすることが可能となるためである。したがって、サンプルタイミングを半クロックずらすことによって、サンプル数を変えることなく受信特性を向上させることができる。すなわち、消費電力を抑えつつ、サンプリングの効率を向上させることができる。
【００２６】
また、本実施形態においては、基地局から携帯電話機に向けて１フレーム単位に伝送データが送信されるため、１フレームに含まれる各パケットの伝送タイミングには、原則としてずれが生じない。したがって、サンプルタイミングに誤差が生じている場合に、１フレームに含まれる各パケットのサンプルタイミングを、前半の３パケットと後半の３パケットとで半クロックずらすことによって、半クロックずらした後半の３パケットについては、サンプルタイミングの誤差を解消させることができる。これにより、１フレームに含まれる全てのパケットで伝送誤りが発生してしまう事態を防止することができる。
【００２７】
一方、サンプルタイミングに誤差が生じていない場合に、前半の３パケットと後半の３パケットとでサンプルタイミングを半クロックずらしたときには、半クロックずらした後半の３パケットに対するサンプルタイミングに誤差が生じ、伝送誤りが発生し易くなる。しかしながら、伝送誤りが発生した場合には、再送の対象となり、再送時の再送ゲインによって再送時における伝送誤りの発生を低減させることができる。
【００２８】
したがって、サンプルタイミングを、前半の３パケットと後半の３パケットとで半クロックずらすことによって、サンプルタイミングの誤差を平均化することができ、ひいてはサンプリングの効率を向上させることができる。
【００２９】
次に、図５および図６を参照して、第１実施形態の携帯電話機１Ａにおけるサンプルタイミング制御処理ついて説明する。
【００３０】
まず、携帯電話機１Ａのパケット受信部１０Ａは、基地局から送信された１フレームに含まれる６つのパケットを受信する（ステップＳ１）。
【００３１】
次に、サンプルタイミング制御部２０Ａは、１フレームに含まれる６パケットのうち、前半３パケットと後半３パケットとで、Ａ／Ｄコンバータにおけるサンプルタイミングを半クロックずらす（ステップＳ２）。具体的に説明すると、図６に示すように、１フレームに含まれる６つのパケットＰ１〜Ｐ６のうち、後半３パケットＰ４〜Ｐ６のサンプルタイミングを半クロックずらす。
【００３２】
このように、第１実施形態においては、サンプルタイミングに誤差が生じている場合には、通常のサンプルタイミングから半クロックずらしたサンプルタイミングによってサンプリングされる３つのパケットについては伝送誤りを抑えることができる一方、サンプルタイミングに誤差が生じていない場合には、通常のサンプルタイミングによってサンプリングされる３つのパケットについては伝送誤りを抑えることができる。すなわち、サンプルタイミングの誤差を平均化することができる。このようにサンプルタイミングの誤差を平均化することによって、サンプルタイミングを増やすことなく、伝送誤りを低減させることができるため、消費電力を抑えつつＡ／Ｄコンバータにおけるサンプリングの効率を向上させることが可能となる。
【００３３】
[第２実施形態]
次に、本発明の第２実施形態について説明する。第２実施形態における携帯電話機が、第１実施形態における携帯電話機と異なる点は、第１実施形態における携帯電話機では、１フレームに含まれる各パケットのサンプルタイミングを、前半３パケットと後半３パケットとで半クロックずらしているのに対し、第２実施形態における携帯電話機では、１フレームに含まれる各パケットのサンプルタイミングを、一パケットおきに半クロックずらす点で異なる。その他の点については、第１実施形態と同様であるため、以下においては、第１実施形態と異なる点について説明することにする。
【００３４】
まず、図７を参照して第２実施形態における携帯電話機１Ｂの機能構成ついて説明する。図７に示すように、第２実施形態における携帯電話機１Ｂは、パケット受信部１０Ｂと、サンプルタイミング制御部２０Ｂとを有する。パケット受信部１０Ｂについては、第１実施形態におけるパケット受信部１０Ａと同様の機能を有するため、その説明を省略する。
【００３５】
サンプルタイミング制御部２０Ｂは、１フレームに含まれる複数のパケットを、パケットごとに順次サンプリングする際に、Ａ／Ｄコンバータのサンプルタイミングを一パケットおきに半クロックずらす制御を行う。
【００３６】
次に、図８および図９を参照して、第２実施形態の携帯電話機１Ｂにおけるサンプルタイミング制御処理ついて説明する。
【００３７】
まず、携帯電話機１Ｂのパケット受信部１０Ｂは、基地局から送信された１フレームに含まれる６つのパケットを受信する（ステップＳ１１）。
【００３８】
次に、サンプルタイミング制御部２０Ｂは、１フレームに含まれる複数のパケットを、パケットごとに順次サンプリングする際に、Ａ／Ｄコンバータのサンプルタイミングを一パケットおきに半クロックずらす（ステップ１２）。すなわち、図９に示すように、１フレームに含まれる６つのパケットＰ１〜Ｐ６のうち、３パケットＰ２，Ｐ４，Ｐ６のサンプルタイミングを半クロックずらす。つまり、１フレームに含まれる６つのパケットＰ１〜Ｐ６のサンプルタイミングを、一パケットおきに半クロックずらす。
【００３９】
なお、サンプルタイミングを半クロックずらすパケットは、パケットＰ２，Ｐ４，Ｐ６には、限られない。例えば、パケットＰ１，Ｐ３，Ｐ５であってもよい。要するに、６パケットの半数である３パケットのサンプルタイミングを半クロックずらすこととすればよい。
【００４０】
このように、第２実施形態においては、サンプルタイミングに誤差が生じている場合には、通常のサンプルタイミングから半クロックずらしたサンプルタイミングによってサンプリングされる３つのパケットについては伝送誤りを抑えることができる一方、サンプルタイミングに誤差が生じていない場合には、通常のサンプルタイミングによってサンプリングされる３つのパケットについては伝送誤りを抑えることができる。すなわち、サンプルタイミングの誤差を平均化することができる。このようにサンプルタイミングの誤差を平均化することによって、サンプルタイミングを増やすことなく、伝送誤りを低減させることができるため、消費電力を抑えつつＡ／Ｄコンバータにおけるサンプリングの効率を向上させることが可能となる。
【００４１】
[第３実施形態]
次に、本発明の第３実施形態について説明する。第３実施形態における携帯電話機が、第１実施形態における携帯電話機と異なる点は、第１実施形態における携帯電話機では、１フレームに含まれる各パケットのサンプルタイミングを、前半３パケットと後半３パケットとで半クロックずらしているのに対し、第３実施形態における携帯電話機では、１フレームに含まれるパケットの半数以上で伝送誤りが検出された場合に、１フレームに含まれる全てのパケットのサンプルタイミングを半クロックずらす点で異なる。その他の点については、第１実施形態と同様であるため、以下においては、第１実施形態と異なる点について説明することにする。
【００４２】
まず、図１０を参照して第３実施形態における携帯電話機１Ｃの機能構成ついて説明する。図１０に示すように、第３実施形態における携帯電話機１Ｃは、パケット受信部１０Ｃと、伝送誤り検出部３０Ｃと、サンプルタイミング制御部２０Ｃとを有する。パケット受信部１０Ｃについては、第１実施形態におけるパケット受信部１０Ａと同様の機能を有するため、その説明を省略する。
【００４３】
伝送誤り検出部３０Ｃは、パケット受信部１０Ｃにより受信されたパケットの伝送誤りを検出する。本実施形態においては、伝送誤り検出方式として、ＣＲＣ（Cyclic Redundancy Check）を採用する。なお、伝送誤り検出方式は、ＣＲＣに限られず、例えば、パリティチェック等の他の伝送誤り検出方式を採用してもよい。
【００４４】
サンプルタイミング制御部２０Ｃは、伝送誤り検出部３０Ｃによって、１フレームに含まれる複数のパケットのうち、半数以上のパケットに伝送誤りが検出された場合に、この１フレームに含まれる複数のパケットに対するＡ／Ｄコンバータのサンプルタイミングを半クロックずらす制御を行う。
【００４５】
このように、半数以上のパケットに伝送誤りが検出された場合に、１フレームの全パケットに対するサンプルタイミングを半クロックずらしているのは、半数以上のパケットに伝送誤りが検出された場合には、一般に、サンプルタイミングに誤差が生じている場合が多いからである。実際にサンプルタイミングに誤差が生じていれば、１フレームの全パケットに対するサンプルタイミングを半クロックずらすことによって、全パケットの伝送誤りを抑えることができるため、受信特性を格別に向上させることができる。
【００４６】
次に、図１１を参照して、第３実施形態の携帯電話機１Ｃにおけるサンプルタイミング制御処理ついて説明する。
【００４７】
まず、携帯電話機１Ｃのパケット受信部１０Ｃは、基地局から送信された１フレームに含まれる６つのパケットを受信する（ステップＳ２１）。
【００４８】
次に、伝送誤り検出部３０Ｃは、パケット受信部１０Ｃにより受信された６つのパケットの伝送誤りを順次検出する（ステップＳ２２）。
【００４９】
次に、サンプルタイミング制御部２０Ｃは、１フレームに含まれる６つのパケットのうち、半数以上のパケットにおいて伝送誤りが検出されたか否かを判定する（ステップＳ２３）。この判定がＮＯである場合には（ステップＳ２３；ＮＯ）、サンプルタイミング制御処理を終了する。
【００５０】
一方、ステップＳ２３において、半数以上のパケットにおいて伝送誤りが検出されたと判定された場合に（ステップＳ２３；ＹＥＳ）、この１フレームに含まれる６つのパケットに対するＡ／Ｄコンバータのサンプルタイミングを半クロックずらす（ステップＳ２４）。
【００５１】
このように、第３実施形態においては、１フレームに含まれる半数以上のパケットにおいて伝送誤りが検出された場合に、１フレームの全パケットに対するサンプルタイミングを半クロックずらすことができる。したがって、半数以上のパケットで伝送誤りが検出されたときにサンプルタイミングに誤差が生じていれば、１フレームの全パケットの伝送誤りを抑えることが可能になり、受信特性を格別に向上させることができる。これにより、サンプルタイミングを増やすことなく、伝送誤りを低減させることができるため、消費電力を抑えつつＡ／Ｄコンバータにおけるサンプリングの効率を向上させることが可能となる。
【００５２】
[第４実施形態]
次に、本発明の第４実施形態について説明する。第４実施形態における携帯電話機が、第１実施形態における携帯電話機と異なる点は、第１実施形態における携帯電話機では、１フレームに含まれる各パケットのサンプルタイミングを、前半３パケットと後半３パケットとで半クロックずらしているのに対し、第４実施形態における携帯電話機では、１フレームに含まれるパケットの中に、再送要求が３回以上送信されたパケットが存在する場合に、１フレームに含まれる全てのパケットのサンプルタイミングを半クロックずらす点で異なる。その他の点については、第１実施形態と同様であるため、以下においては、第１実施形態と異なる点について説明することにする。
【００５３】
まず、図１２を参照して第４実施形態における携帯電話機１Ｄの機能構成ついて説明する。図１２に示すように、第４実施形態における携帯電話機１Ｄは、パケット受信部１０Ｄと、伝送誤り検出部３０Ｄと、再送要求送信部４０Ｄと、サンプルタイミング制御部２０Ｄとを有する。パケット受信部１０Ｄと伝送誤り検出部３０Ｄについては、第１実施形態におけるパケット受信部１０Ａと、第３実施形態における伝送誤り検出部３０Ｃとそれぞれ同様の機能を有するため、その説明を省略する。
【００５４】
再送要求送信部４０Ｄは、伝送誤り検出部３０Ｄにより伝送誤りが検出された場合に、当該伝送誤りが検出されたパケットを再送するように要求するための再送要求を基地局に対して送信する。また、再送要求送信部４０Ｄは、再送要求の送信回数をパケットごとにカウントアップする。カウントアップされた再送要求の送信回数は、携帯電話機１Ｄ内のメモリに格納される。このメモリには、パケットごとに再送要求の送信回数を記憶することができる記憶領域（テーブル）が設けられている。
【００５５】
サンプルタイミング制御部２０Ｄは、１フレームに含まれるパケットの中に、再送要求が３回以上送信されたパケットが存在するか否かを判定する。サンプルタイミング制御部２０Ｄは、再送要求が３回以上送信されたパケットが存在すると判定した場合には、１フレームに含まれる全てのパケットのサンプルタイミングを半クロックずらす制御を行う。
【００５６】
このように、再送要求が３回以上送信されたパケットが存在する場合に、１フレームの全パケットに対するサンプルタイミングを半クロックずらすのは、再送要求が３回以上送信される場合には、一般に、サンプルタイミングに誤差が生じている場合が多いためである。実際にサンプルタイミングに誤差が生じていれば、１フレームの全パケットに対するサンプルタイミングを半クロックずらすことによって、全パケットの伝送誤りを抑えることができるため、受信特性を格別に向上させることができる。
【００５７】
次に、図１３を参照して、第４実施形態の携帯電話機１Ｄにおけるサンプルタイミング制御処理ついて説明する。
【００５８】
まず、携帯電話機１Ｄのパケット受信部１０Ｄは、基地局から送信された１フレームに含まれる６つのパケットを受信する（ステップＳ３１）。
【００５９】
次に、伝送誤り検出部３０Ｄは、パケット受信部１０Ｄにより受信された６つのパケットの伝送誤りを順次検出し（ステップＳ３２）、その結果、伝送誤りが検出されないパケットについては（ステップＳ３３；ＮＯ）、パケットの受領を正常に終了したことを示す正常終了信号が基地局に送信される（ステップＳ３４）。
【００６０】
一方、伝送誤り検出部３０Ｄにより伝送誤りが検出されたパケットについては（ステップＳ３３；ＹＥＳ）、再送要求送信部４０Ａにより、伝送誤りが検出されたパケットを再送するように要求するための再送要求が基地局に送信され（ステップＳ３５）、携帯電話機１Ｄ内のメモリにパケットごとに識別可能に格納されている再送要求の送信回数がカウントアップされる（ステップＳ３６）。
【００６１】
次に、サンプルタイミング制御部２０Ｄは、１フレーム中に再送要求の送信回数が３回以上であるパケットが存在するか否かを、メモリを参照して判定する（ステップＳ３７）。この判定がＮＯである場合には（ステップＳ３７；ＮＯ）、サンプルタイミング制御処理を終了する。
【００６２】
一方、ステップＳ３７において、再送要求の送信回数が３回以上であるパケットが存在すると判定された場合に（ステップＳ３７；ＹＥＳ）、この１フレームに含まれる６つのパケットに対するＡ／Ｄコンバータのサンプルタイミングを半クロックずらす（ステップＳ３８）。
【００６３】
このように、第４実施形態においては、再送要求の送信回数が３回以上であるパケットが存在する場合に、１フレームの全パケットに対するサンプルタイミングを半クロックずらすことができる。したがって、再送要求の送信回数が３回以上であるパケットが存在するときにサンプルタイミングに誤差が生じていれば、１フレームの全パケットの伝送誤りを抑えることが可能となり、受信特性を格別に向上させることができる。これにより、サンプルタイミングを増やすことなく、伝送誤りを低減させることができるため、消費電力を抑えつつＡ／Ｄコンバータにおけるサンプリングの効率を向上させることが可能となる。
【００６４】
なお、上述した各実施形態においては、最小の通信単位を１スロットとし、３スロットを１パケットとし、６パケットを１フレームとしているが、通信単位はこれに限られない。すなわち、１パケットに含まれるスロット数や、１フレームに含まれるパケット数は、任意に設計可能である。
【００６５】
また、上述した各実施形態においては、移動通信端末の具体例として携帯電話機を用いて説明するが、移動通信端末の具体例はこれに限られず、例えば、簡易型携帯電話機（ＰＨＳ）や通信機能を有する携帯型情報端末（ＰＤＡ）等の移動通信端末であってもよい。また、携帯電話機は、必ずしも高速無線通信機能を搭載する必要はない。しかしながら、携帯電話機に高速無線通信機能を搭載した場合には、上述した各実施形態におけるサンプリング制御技術を採用しないと、消費電力を抑えつつサンプリングを効率よく行うことは困難である。これは、現在、商用化されているＷ−ＣＤＭＡ方式では、ＱＰＳＫや、低レート符号化が適用されているため、サンプルタイミングに生じた誤差が受信特性に及ぼす影響はほとんど考えられないのに対し、高速無線通信を実現するために採用されるＨＳＤＰＡでは、１６ＱＡＭや、高レート符号化が適用されるため、サンプルタイミングに生じた誤差が受信特性に及ぼす影響が増大し、受信特性劣化の大きな要因となるからである。
【００６６】
また、上述した各実施形態におけるサンプルタイミング制御部は、サンプルタイミングを半クロックずらす際に、上述した各実施形態における条件に加え、さらに、パケットが高速通信機能を利用して送信された場合に、サンプルタイミングを半クロックずらすこととしてもよい。パケットが高速通信機能を利用して送信されたか否かは、例えば、パケットのデータサイズや、パケットの変調方式によって判断することができる。このパケットのデータサイズや変調方式は、例えば、基地局から通知される制御信号に含まれている。したがって、まず、基地局から通知された制御信号に基づいてパケットのデータサイズや変調方式を判別し、パケットのデータサイズが閾値を超えている場合や、パケットの変調方式が１６ＱＡＭ等の直行振幅変調である場合に、パケットが高速通信機能を利用して送信されてきたと判断し、さらに上述した各実施形態における条件を満たした場合に、サンプルタイミングを半クロックずらすこととしてもよい。
【図面の簡単な説明】
【００６７】
【図１】第１実施形態における携帯電話機の機能構成を示すブロック図である。
【図２】各実施形態における通信単位を説明するための図である。
【図３】各実施形態における伝送誤り検出と伝送制御について説明するための図である。
【図４】Ａ／Ｄコンバータにおけるサンプルタイミングを説明するための図である。
【図５】第１実施形態の携帯電話機におけるサンプルタイミング制御処理を説明するためのフローチャートである。
【図６】第１実施形態の携帯電話機におけるサンプルタイミング制御処理を説明するための模式図である。
【図７】第２実施形態における携帯電話機の機能構成を示すブロック図である。
【図８】第２実施形態の携帯電話機におけるサンプルタイミング制御処理を説明するためのフローチャートである。
【図９】第２実施形態の携帯電話機におけるサンプルタイミング制御処理を説明するための模式図である。
【図１０】第３実施形態における携帯電話機の機能構成を示すブロック図である。
【図１１】第３実施形態の携帯電話機におけるサンプルタイミング制御処理を説明するためのフローチャートである。
【図１２】第４実施形態における携帯電話機の機能構成を示すブロック図である。
【図１３】第４実施形態の携帯電話機におけるサンプルタイミング制御処理を説明するためのフローチャートである。
【符号の説明】
【００６８】
１Ａ，１Ｂ，１Ｃ，１Ｄ・・・携帯電話機、１０Ａ，１０Ｂ，１０Ｃ，１０Ｄ・・・パケット受信部、２０Ａ，２０Ｂ，２０Ｃ，２０Ｄ・・・サンプルタイミング制御部、３０Ｃ，３０Ｄ・・・伝送誤り検出部、４０Ｄ・・・再送要求送信部。
【図１】
2006254338.tif 000003
【図２】
2006254338.tif 000004
【図３】
2006254338.tif 000005
【図４】
2006254338.tif 000006
【図５】
2006254338.tif 000007
【図６】
2006254338.tif 000008
【図７】
2006254338.tif 000009
【図８】
2006254338.tif 000010
【図９】
2006254338.tif 000011
【図１０】
2006254338.tif 000012
【図１１】
2006254338.tif 000013
【図１２】
2006254338.tif 000014
【図１３】
2006254338.tif 000015